(57)【要約】    【課題】      アンテナ毎の遅延プロファイルの違いを考慮したより適切なパス選択が行えるようにすること。    【解決手段】  パス候補生成部１０４は、合成遅延プロファイルパス位相選択部１０３から入力されたパス位相を中心とした所定のパス位相範囲において、アンテナ毎の各遅延プロファイルからこの幅に含まれるパスをパス候補として選択しパス選択部１０５に出力する。これによれば、ある遅延プロファイルにおける最適パスが合成遅延プロファイルにおいて選択されなかったパス位相に対応するパスであっても選択できるようになる。  【選択図】      図１
2006148786.tif 000002
【特許請求の範囲】
【請求項１】
アンテナ毎の遅延プロファイルを生成する遅延プロファイル生成手段と、アンテナ毎に生成された前記遅延プロファイルを合成して合成遅延プロファイルを生成する合成遅延プロファイル生成手段と、前記合成遅延プロファイルからフィンガ数分のパス位相を選択するパス位相選択手段と、アンテナ毎に生成された前記遅延プロファイルから、選択した前記パス位相を中心とする所定範囲内に含まれるパス候補を取り出すパス候補生成手段と、前記パス候補の中からフィンガ数分のパスを選択するパス選択手段と、を具備することを特徴とするパス選択装置。
【請求項２】
アンテナ毎の遅延プロファイルを生成し、アンテナ毎に生成された前記遅延プロファイルを合成して合成遅延プロファイルを生成し、前記合成遅延プロファイルからフィンガ数分のパス位相を選択し、アンテナ毎に生成された前記遅延プロファイルから、選択した前記パス位相を中心とする所定範囲内に含まれるパス候補を取り出し、前記パス候補の中からフィンガ数分のパスを選択する、ことを特徴とするパス選択方法。
【請求項３】
アンテナ毎に生成された前記遅延プロファイルにしきい値を設定する手段を具備し、前記パス候補生成手段は、アンテナ毎に生成された前記遅延プロファイルから、選択した前記パス位相を中心とする所定範囲内に含まれるパスであって前記しきい値を超えるパスをパス候補として取り出す、ことを特徴とする請求項１記載のパス選択装置。
【請求項４】
アンテナ毎に生成された前記遅延プロファイルに対してしきい値を設定し、アンテナ毎に生成された前記遅延プロファイルから、選択した前記パス位相を中心とする所定範囲内に含まれるパスであって前記しきい値を超えるパスをパス候補として取り出す、ことを特徴とする請求項２記載のパス選択方法。
【発明の詳細な説明】
【技術分野】
【０００１】
本発明は、スペクトル拡散方式を適用した移動体通信システムにおける移動局や基地局において用いられるパス選択装置及び方法に関する。
【背景技術】
【０００２】
従来、スペクトル拡散方式を適用した移動体通信システムにおける移動局や基地局においては、複数のアンテナの各受信信号から遅延プロファイルを生成し信号が伝送されるパスの選択を行う方法が採用されている（例えば、特許文献１、２）。
【０００３】
即ち、特許文献１では、複数のアンテナの各受信信号から生成した各遅延プロファイルを加算合成すれば、合成遅延プロファイルでは、雑音レベルが平均化されるとともに、ピークが顕著となるので、高精度で高速なパス検出が行えることが記載されている。
【０００４】
また、特許文献２では、複数のアンテナの各受信信号から生成した各遅延プロファイルを加算合成し、その合成遅延プロファイルを用いて各遅延プロファイルからパスの選択を行う技術が開示されている。以下、本発明の理解を容易にするため、図５を参照して、この特許文献２に開示されるパス選択技術の概要を説明する。
【０００５】
図５は、従来のパス選択装置の構成例を示すブロック図である。図５に示す従来のパス選択装置５００は、図示しないダイバーシチアンテナ（第１アンテナ〜第Ｎアンテナ）のアンテナ毎に設けられた遅延プロファイル生成部５０１−１〜５０１−Ｎと、遅延プロファイル生成部５０１−１〜５０１−Ｎの各出力が入力する合成遅延プロファイル生成部５０２と、合成遅延プロファイル生成部５０２の出力を受ける合成遅延プロファイルパス位相選択部５０３と、遅延プロファイル生成部５０１−１〜５０１−Ｎの各出力と合成遅延プロファイルパス位相選択部５０３の出力とが入力するパス選択部５０４と、パス選択部５０４が出力するＭ個のパス選択情報を１対１の関係で受ける逆拡散部５０５−１〜５０５−Ｍとを備えている。
【０００６】
次に、図５と図６を参照して、従来のパス選択装置の動作について説明する。なお、図６は、図５に示すパス選択部での選択動作を説明するための各遅延プロファイル及び合成遅延プロファイルでのパス位相の関係を示す図である。但し、図６では、アンテナ数を２とし、２つの遅延プロファイル（図６（ｂ）（ｃ））と、それの合成遅延プロファイル（図６（ａ））とが示されている。また、合成遅延プロファイルから選択するパス位相の数は４とし、選択するパス数（フィンガ数）は４として説明する。
【０００７】
遅延プロファイル生成部５０１−１〜５０１−Ｎは、対応するアンテナの受信電力を同相加算することでピーク波形が時間的に連なった遅延プロファイル（図６（ｂ）（ｃ））を生成し、それぞれ、合成遅延プロファイル生成部５０２とパス選択部５０４とに出力する。
【０００８】
合成遅延プロファイル生成部５０２は、各遅延プロファイルを加算合成した合成遅延プロファイル（図６（ａ））を生成し、合成遅延プロファイルパス位相選択部５０３に出力する。
【０００９】
合成遅延プロファイルパス位相選択部５０３は、合成遅延プロファイル（図６（ａ））からピークの大きい順に所定数のパス位相を選択し、パス選択部５０４に出力する。図６（ａ）に示す例で言えば、大きなピークを持つ４つのパス６００−１〜６００−４のパス位相Ｃ、Ｇ、Ｉ、Ｋが選択される。
【００１０】
パス選択部５０４は、アンテナ毎の各遅延プロファイルから、合成遅延プロファイルパス位相選択部５０３にて選択された位相のパスを大きい順にＭ個選択し、そのＭ個のパスを示すパス選択情報を逆拡散部５０５−１〜５０５−Ｍにそれぞれ出力する。図６に示す例で言えば、遅延プロファイル（図６（ｂ）では、パス位相Ｃ、Ｇ、Ｉ、Ｋにおけるパス６０１−１〜６０１−４が選択される。また、遅延プロファイル（図６（ｃ））では、パス位相Ｃ、Ｇ、Ｉ、Ｋにおけるパス６０２−１〜６０２−４が選択される。そして、パス６０１−１〜６０１−４とパス６０２−１〜６０２−４の中で大きなピークを持つパス６０１−３、６０２−１、６０１−１、６０２−２がこの順に選択される。
【００１１】
逆拡散部５０５−１〜５０５−Ｍは、パス選択情報で示されるアンテナでの受信パス位相の信号を逆拡散処理する。
【００１２】
このような構成によれば、合成遅延プロファイルを用いてノイズの影響を低減し、ピークを顕著にして、精度の高いパスを選択することができる。
【特許文献１】特開２００３−３３８８０４号公報
【特許文献２】特開２００２−１１１５５０号公報
【発明の開示】
【発明が解決しようとする課題】
【００１３】
しかしながら、アンテナ毎に伝搬環境が異なっており、アンテナ毎に生成される各遅延プロファイルも異なるので、特許文献２に開示されるパス選択装置のように、合成遅延プロファイルから選択したパス位相をそのまま各遅延プロファイルに適用してパス選択を行った場合、各遅延プロファイルにおける最適なパスを選択できないことがある。
【００１４】
即ち、図６に示した例で言えば、遅延プロファイル図６（ｃ）において最適なパスは、パス位相Ｊに現れているパス６０３であるが、このパス位相Ｊは合成遅延プロファイル（図６（ａ））からの選択ではパス位相として選ばれない。したがって、パス選択部５０４では、遅延プロファイル図６（ｃ）において最適なパスであるパス６０３を選択できず、遅延プロファイル（図６（ｂ））からのパス６０１−１〜６０１−４及び遅延プロファイル（図６（ｃ））からのパス６０２−１〜６０２−４の中から大きい順に、パス６０１−３、６０２−１、６０１−１、６０２−２が選択される。
【００１５】
本発明は、かかる点に鑑みてなされたものであり、アンテナ毎の遅延プロファイルの違いを考慮したより適切なパス選択が行えるパス選択装置及び方法を提供することを目的とする。
【課題を解決するための手段】
【００１６】
かかる課題を解決するため、本発明に係るパス選択装置は、アンテナ毎の遅延プロファイルを生成する遅延プロファイル生成手段と、アンテナ毎に生成された前記遅延プロファイルを合成して合成遅延プロファイルを生成する合成遅延プロファイル生成手段と、前記合成遅延プロファイルからフィンガ数分のパス位相を選択するパス位相選択手段と、アンテナ毎に生成された前記遅延プロファイルから、選択した前記パス位相を中心とする所定範囲内に含まれるパス候補を取り出すパス候補生成手段と、前記パス候補の中からフィンガ数分のパスを選択するパス選択手段とを具備する構成を採る。
【００１７】
この構成によれば、ある遅延プロファイルにおける最適パスが合成遅延プロファイルにおいて選択されなかったパス位相に対応するパスであっても選択することができるので、アンテナ毎の遅延プロファイルの違いを考慮したより適切なパス選択が行える。
【００１８】
本発明に係るパス選択方法は、アンテナ毎の遅延プロファイルを生成し、アンテナ毎に生成された前記遅延プロファイルを合成して合成遅延プロファイルを生成し、前記合成遅延プロファイルからフィンガ数分のパス位相を選択し、アンテナ毎に生成された前記遅延プロファイルから、選択した前記パス位相を中心とする所定範囲内に含まれるパス候補を取り出し、前記パス候補の中からフィンガ数分のパスを選択するようにした。
【００１９】
この方法によれば、ある遅延プロファイルにおける最適パスが合成遅延プロファイルにおいて選択されなかったパス位相に対応するパスであっても選択することができるので、アンテナ毎の遅延プロファイルの違いを考慮したより適切なパス選択が行える。
【００２０】
本発明に係るパス選択装置は、上記の発明において、アンテナ毎に生成された前記遅延プロファイルにしきい値を設定する手段を具備し、前記パス候補生成手段は、アンテナ毎に生成された前記遅延プロファイルから、選択した前記パス位相を中心とする所定範囲内に含まれるパスであって前記しきい値を超えるパスをパス候補として取り出すという構成を採る。
【００２１】
この構成によれば、パス候補の数を絞り込むことができるので、パス選択の処理量を減らすことができる。
【００２２】
本発明に係るパス選択方法は、上記の発明において、アンテナ毎に生成された前記遅延プロファイルに対してしきい値を設定し、アンテナ毎に生成された前記遅延プロファイルから、選択した前記パス位相を中心とする所定範囲内に含まれるパスであって前記しきい値を超えるパスをパス候補として取り出すようにした。
【００２３】
この方法によれば、パス候補の数を絞り込むことができるので、パス選択の処理量を減らすことができる。
【発明の効果】
【００２４】
本発明によれば、複数のアンテナ毎の各遅延プロファイルを合成した合成遅延プロファイルから選択したパス位相を用いてパス選択を行う場合に、アンテナ毎の遅延プロファイルの違いを考慮したより適切なパス選択が行えるようになる。
【発明を実施するための最良の形態】
【００２５】
本発明の骨子は、ある遅延プロファイルにおける最適パスが合成遅延プロファイルにおいて選択されなかったパス位相に対応するパスであっても選択できるようにすることである。
【００２６】
以下、本発明の実施の形態について図面を参照して詳細に説明する。
【００２７】
（実施の形態１）
図１は、本発明の実施の形態１に係るパス選択装置の構成を示すブロック図である。図１に示す本実施の形態１に係るパス選択装置１００は、図示しないダイバーシチアンテナ（第１アンテナ〜第Ｎアンテナ）のアンテナ毎に設けられた遅延プロファイル生成部１０１−１〜１０１−Ｎと、遅延プロファイル生成部１０１−１〜１０１−Ｎの各出力が入力する合成遅延プロファイル生成部１０２と、合成遅延プロファイル生成部１０２の出力を受ける合成遅延プロファイルパス位相選択部１０３と、遅延プロファイル生成部１０１−１〜１０１−Ｎの各出力と合成遅延プロファイルパス位相選択部１０３の出力とが入力するパス候補生成部１０４と、パス候補生成部１０４の出力を受けるパス選択部１０５と、パス選択部１０５が出力するＭ個のパス選択情報を１対１の関係で受ける逆拡散部１０６−１〜１０６−Ｍとを備えている。
【００２８】
次に、図１と図２を参照して、本実施の形態１に係るパス選択装置の動作について説明する。なお、図２は、図１に示すパス選択部での選択動作を説明するための各遅延プロファイル及び合成遅延プロファイルでのパス位相の関係を示す図である。但し、図２では、アンテナ数を２とし、２つの遅延プロファイル（図２（ｂ）（ｃ））と、それの合成遅延プロファイル（図２（ａ））とが示されている。また、合成遅延プロファイルから選択するパス位相の数は４とし、選択するパス数（フィンガ数）は４として説明する。
【００２９】
遅延プロファイル生成部１０１−１〜１０１−Ｎは、対応するアンテナの受信電力を同相加算することでピーク波形が時間的に連なった遅延プロファイル（図２（ｂ）（ｃ））を生成し、それぞれ、合成遅延プロファイル生成部１０２とパス候補生成部１０４とに出力する。
【００３０】
合成遅延プロファイル生成部１０２は、各遅延プロファイルを加算合成した合成遅延プロファイル（図２（ａ））を生成し、合成遅延プロファイルパス位相選択部１０３に出力する。
【００３１】
合成遅延プロファイルパス位相選択部１０３は、合成遅延プロファイル（図２（ａ））からピークの大きい順に所定数のパス位相を選択し、パス候補生成部１０４に出力する。図２（ａ）に示す例で言えば、大きなピークを持つ４つのパス２００−１〜２００−４のパス位相Ｃ、Ｇ、Ｉ、Ｋが選択される。
【００３２】
パス候補生成部１０４は、合成遅延プロファイルパス位相選択部１０３から入力されたパス位相を中心とした所定のパス位相範囲において、アンテナ毎の各遅延プロファイルからこの範囲内に含まれるパスをパス候補として選択し、パス選択部１０５に出力する。
【００３３】
図２に示す例で言えば、パス候補生成時のパス位相範囲を１とすると、パス候補生成部１０４は、アンテナ毎の各遅延プロファイル（図２（ｂ）（ｃ））において、合成遅延プロファイルパス位相選択部１０３が選択したパス位相Ｃ、Ｇ、Ｉ、Ｋと、このパス位相Ｃ、Ｇ、Ｉ、Ｋの各々を中心に１パス位相だけ前後のパス位相とにおけるパスを選択する。即ち、遅延プロファイル（図２（ｂ））からは、パス候補２０１−１〜２０１−９が取り出され、遅延プロファイル（図２（ｃ））からは、パス候補２０２−１〜２０２−９が取り出され、それぞれパス選択部１０５に出力される。
【００３４】
パス選択部１０５は、パス候補生成部１０４にて決定されたパス候補から大きい順にＭ個のパスを選択し、そのＭ個のパスを示すパス選択情報を逆拡散部１０５−１〜１０５−Ｍにそれぞれ出力する。図２に示す例で言えば、パス選択部１０５は、遅延プロファイル（図２（ｂ））から取り出されたパス候補２０１−１〜２０１−９と、遅延プロファイル（図２（ｃ））から取り出されたパス候補２０２−１〜２０２−９との中で大きなピークを持つパス２０１−７、２０２−１、２０１−２、２０２−２がこの順に選択される。
【００３５】
逆拡散部１０６−１〜１０６−Ｍは、パス選択情報で示されるアンテナでの受信パス位相の信号を逆拡散処理する。
【００３６】
このように、本実施の形態１よれば、合成遅延プロファイルにおいて選択したパス位相を中心とする所定範囲内に含まれるパス候補をアンテナ毎の各遅延プロファイルから取り出し、そのパス候補の中からパス選択を行うようにしたので、ある遅延プロファイルにおける最適パスが合成遅延プロファイルにおいて選択されなかったパス位相に対応するパスであっても選択することができる。したがって、ノイズの影響を低減しつつ、アンテナ毎の遅延プロファイルの違いを考慮した適切なパス選択を行うことができる。
【００３７】
（実施の形態２）
図３は、本発明の実施の形態２に係るパス選択装置の構成を示すブロック図である。なお、図３では、図１（実施の形態１）に示した構成要素と同一ないしは同等である構成要素には、同一の符号が付されている。ここでは、本実施の形態２に関わる部分を中心に説明する。
【００３８】
図３に示すように、本実施の形態２に係るパス選択装置３００は、図１（実施の形態１）に示した構成において、しきい値設定部３０１が追加され、また、パス候補生成部１０４に代えてパス候補生成部３０２が設けられている。
【００３９】
しきい値設定部３０１は、遅延プロファイル生成部１０１−１〜１０１−Ｎがそれぞれ生成する各遅延プロファイルに対するしきい値を設定し、それをパス候補生成部３０２に与える。このしきい値は、各アンテナの遅延プロファイル毎に同じ値でもよいが、個別の値としてもよい。また、このしきい値は、ピーク値やノイズレベルをパラメータとして適応的に算出してもよい。
【００４０】
パス候補生成部３０２は、しきい値設定部３０１から受け取った遅延プロファイル毎のしきい値を超えるパスを対象に、実施の形態１にて説明した各遅延プロファイルにおけるパス候補の生成を行う。
【００４１】
以下、図３と図４を参照して、本実施の形態２に係るパス選択装置３００におけるパス選択動作について説明する。図４は、図３に示すパス候補生成部での動作を説明するための各遅延プロファイル及び合成遅延プロファイルでのパス位相の関係を示す図である。但し、図４では、アンテナ数を２とし、２つの遅延プロファイル（図４（ｂ）（ｃ））と、それの合成遅延プロファイル（図４（ａ））とが示されている。また合成遅延プロファイルから選択するパス位相の数は４とし、選択するパス数（フィンガ数）は４として説明する。
【００４２】
合成遅延プロファイルパス（図４（ａ））では、大きなピークを持つ４つのパス４００−１〜４００−４のパス位相Ｃ、Ｇ、Ｉ、Ｋが選択される。また、遅延プロファイル（図４（ｂ）（ｃ））では、しきい値４０３、４０４が設定されている。
【００４３】
パス候補生成部３０２は、合成遅延プロファイルパス位相選択部１０３から入力されたパス位相を中心とした所定の幅を範囲とし、アンテナ毎の各遅延プロファイルからこの幅に含まれるパスであって、しきい値を超えるパスをパス候補として選択し、パス選択部１０５に出力する。
【００４４】
図４に示す例で言えば、パス候補生成時の幅を１とすると、パス候補生成部３０２は、アンテナ毎の各遅延プロファイル（図４（ｂ）（ｃ））において、合成遅延プロファイルパス位相選択部１０３が選択したパス位相Ｃ、Ｇ、Ｉ、Ｋと、このパス位相Ｃ、Ｇ、Ｉ、Ｋの各々を中心とした前後のパス位相とにおけるパスであって、しきい値４０３、４０４を超えるパスをパス候補として選択する。
【００４５】
即ち、遅延プロファイル（図４（ｂ））からは、しきい値４０３を超えるパス４０１−１、４０１−２、４０１−３の３つがパス候補として取り出される。これには、合成遅延プロファイルパス（図４（ａ））から選択したパス位相Ｇのパスは含まれていない。
【００４６】
また、遅延プロファイル（図４（ｃ））からは、しきい値４０４を超えるパス４０２−１、４０２−２、４０２−３の３つがパス候補として取り出される。これには、合成遅延プロファイルパス（図４（ａ））から選択したパス位相Ｉのパスは含まれていないが、選択されていないパス位相Ｊのパス４０２−２が含まれている。
【００４７】
パス選択部１０５は、遅延プロファイル（図４（ｂ））から取り出されたパス候補４０１−１〜４０１−３と、遅延プロファイル（図４（ｃ））から取り出されたパス候補４０２−１〜４０２−３との中で大きなピークを持つパス４０１−２、４０２−３、４０１−１、４０２−１がこの順に選択し、逆拡散部１０６−１〜１０６−Ｍに割り当てる。
【００４８】
このように、実施の形態２によれば、実施の形態１と同様に、ある遅延プロファイルにおける最適パスが合成遅延プロファイルにおいて選択されなかったパス位相に対応するパスであっても選択することができるのに加えて、しきい値によってパス候補数を絞り込むので、処理量を減らすことができる。
【産業上の利用可能性】
【００４９】
本発明は、アンテナ毎の遅延プロファイルに違いがある場合のパス選択装置及び方法として有用である。
【図面の簡単な説明】
【００５０】
【図１】本発明の実施の形態１に係るパス選択装置の構成を示すブロック図
【図２】図１に示すパス選択部での動作を説明するための各遅延プロファイル及び合成遅延プロファイルでのパス位相の関係を示す図
【図３】本発明の実施の形態２に係るパス選択装置の構成を示すブロック図
【図４】図３に示すパス選択部での動作を説明するための各遅延プロファイル及び合成遅延プロファイルでのパス位相の関係を示す図
【図５】従来のパス選択装置の構成例を示すブロック図
【図６】図５に示すパス選択部での選択動作を説明するための各遅延プロファイル及び合成遅延プロファイルでのパス位相の関係を示す図
【符号の説明】
【００５１】
１００、３００  パス選択装置
１０１−１〜１０１−Ｎ  遅延プロファイル生成部
１０２  合成遅延プロファイル生成部
１０３  合成遅延プロファイルパス位相選択部
１０４、３０２  パス候補生成部
１０５  パス選択部
１０６−１〜１０６−Ｍ  逆拡散部
３０１  しきい値設定部
【図１】
2006148786.tif 000003
【図２】
2006148786.tif 000004
【図３】
2006148786.tif 000005
【図４】
2006148786.tif 000006
【図５】
2006148786.tif 000007
【図６】
2006148786.tif 000008